(57)【要約】【課題】本発明の目的は携帯端末を用いたプラント機器の保守点検を保守員の負担を軽減して作業効率を向上させることができるプラント保守点検装置を提供することにある。【解決手段】携帯端末１０はプラント１６を構成するプラント機器１、２、３の機器ＩＤをバーコードリーダ５で読取る。携帯端末１０に入力された機器点検情報を中央操作室に設けられている保守端末１５にエバネセント通信技術で無線送信する。携帯端末１０は携帯型電灯を一体に形成している。【選択図】　図１
2004133671.tif 000002
【特許請求の範囲】
【請求項１】
プラントの監視操作を行う中央操作室に設けられている保守端末と、前記プラントを構成するプラント機器の機器ＩＤを読取り、入力された機器点検情報を前記保守端末に無線送信する携帯端末と、サービスセンタに設けられ、前記プラント機器の保守点検に関する保守点検サービス情報を提供するサービス端末とを備え、前記携帯端末は携帯型電灯が一体に形成されていることを特徴とするプラント保守点検装置。
【請求項２】
請求項１において、前記保守端末は前記プラント機器と異なる建屋の中央操作室に設けられ、前記携帯端末と前記保守端末の無線通信をエバネセント通信で行うことを特徴とするプラント保守点検装置。
【請求項３】
請求項１において、前記サービス端末は前記保守点検サービス情報を前記保守端末を介して無線によって前記携帯端末に送信することを特徴とするプラント保守点検装置。
【発明の詳細な説明】
【０００１】
【発明の属する技術分野】
本発明は火力発電プラントのように多数のプラント機器から構成されるプラントの保守点検を行うプラント保守点検装置に関する。
【０００２】
【従来の技術】
【特許文献１】特開平１１−３９０２３号公報
【特許文献２】特開２００１−１５９９１６号公報
一般に、火力発電プラントなどのプラントにおいては保守員が現場を巡回してプラント機器の保守、データ採取、異常兆候の判断などを行っている。保守員は携帯端末を持ち、保守点検結果を中央操作室にいる管理者（監視員）に連絡している。
保守員が携帯する携帯端末は有線方式と無線方式があり、最近は無線方式の適用が考えられている。このような、プラント保守点検装置については上述の特許文献１、２に記載されている。
保守員はプラント機器を巡回して点検を行うが、配管が込入って配置されている狭く、かつ暗い場所での点検作業も行うことになる。このため、保守員は携帯端末と懐中電灯を携帯して点検することになる。
【０００３】
【発明が解決しようとする課題】
従来技術は保守員が携帯端末と懐中電灯を携帯して点検することになるので、携帯端末と懐中電灯を両手で持つことになり保守員の負担が増大して作業効率の低下を招き、暗所では危険を伴うという問題点を有する。
本発明の目的は携帯端末を用いたプラント機器の保守点検を保守員の負担を軽減して作業効率を向上させることができるプラント保守点検装置を提供することにある。
【０００４】
【課題を解決するための手段】
本発明の特徴とするところは、プラント機器の機器ＩＤを読取り、入力された機器点検情報を中央操作室に設けられている保守端末に無線送信する携帯端末は携帯型電灯を一体に形成していることにある。
本発明は携帯端末に携帯型電灯を一体に形成しているので、保守員の負担を軽減して作業効率を向上させることができ、かつ、暗所での危険性を低減できる。本発明の望ましい携帯端末は、電灯の照射軸とプラント機器の機器ＩＤの入力方向（読取り方向）を一致させることによって、電灯での照射時に確実に点検を行い１動作で同時に情報入力も行え作業効率が向上する。
【０００５】
【発明の実施の形態】
以下、本発明の実施例を図面により説明する。
図１に本発明の一実施例を示す。図１はエバネセント通信技術を用いて火力発電プラントの保守点検を行う例を示している。
【０００６】
図１において、火力発電プラント１６の現場点検対象機器のセンサである発信器１、熱電対２やアクチュエータである弁、コントロールドライブなどプロセス機器３には計器番号（機器ＩＤ）などが記録さえたバーコードが貼付けられている。尚、バーコードに限らずミューチップ、ＲＦＩＤなどに記録させてプロセス機器に取付けるようにすることもできる。
【０００７】
点検員は携帯端末１０を持って現場を巡回して点検する。携帯端末１０はバーコードリーダ５、マイクロフォンやスピーカなどの音声入出力部６、画像入力部７を有し、そのいずれかあるいはその組合わせで現場の機器点検情報を入力する。また、必要によっては文字情報入力部２３からも入力する。
【０００８】
入力された機器点検情報はデータ編集器８で編集されると共に記憶部２４に記憶される。データ編集器８で編集された機器点検情報はエバネセント無線通信を行う無線通信部（子局）９からアンテナ８０を経由して中央操作室に設けられている保守端末１５に送信される。
【０００９】
無線通信部９から送信された機器点検情報はエバネセント通信用エキサイタ５０を介してハブ６０、ネットワーク７０を経由してエバネセント無線通信部１２（親局）で受信される。保守端末１５のデータ編集部１３は受信した機器点検情報を処理し記憶部２１に記憶され、また、表示装置（ＣＲＴ）１４に表示される。
【００１０】
携帯端末１０の子局９と保守端末１５の親局１２の間は、建物の構造物を介して電磁波を伝播させるエバネセントモードでのエバネセント通信を用いている。このエバネセント無線通信は、点検対象のプラント機器（センサやアクチュエータ）がプラントの広い範囲にわたって存在しても、点検員が移動しプラント設備の複雑な配置をもつ装置に取り囲まれ、あるいは装置の陰になっても、建物の隔壁によって隔てられた地点にあっても、保守員の持つ携帯端末１０の子局９と保守端末１５の親局１２間は所定の条件のもとで安定した通信を確立することができる。
【００１１】
記憶部２１はプラントネットワーク２２に接続されており、プラント１６の運転データも記憶されている。
【００１２】
また、サービスセンタのサービス端末１９はデータ編集部１７で作成された保守点検サービス情報が記憶部２５に記憶されている。記憶部２５に記憶されている保守点検サービス情報は公衆回線端末１６から公衆回線を通じて保守端末１５の公衆回線端末２０を経由してデータ編集部１３に転送される。なお、公衆回線は専用回線やインターネットであってもよい。
【００１３】
なお、図１の実施例では、子局９と親局１２間のインターフェースとして接続形態がネットワークによるものとし、伝送プロトコルとしてＴＣＰ／ＩＰを適用できる。また、子局が定点点検機器などであれば、予め固定されたアナログ計装データを収集するためのＲＳ−２３２Ｃ、ＧＰＩＢ等のインターフェースを装備することも可能である。また、現場盤のリレー接点の監視・制御信号の入力のために、デジタル入出力インターフェースを装備することも可能である。
【００１４】
携帯端末１０の一例構成を図２に示す。図２（ａ）は平面図で、図２（ｂ）は図２（ａ）のＡ矢視図である。
【００１５】
エバネセント無線通信を行う通信機能部（子局）９などが内蔵された携帯端末１０の本体３０には表示装置４と機能ボタン２７が設けられている。図２（ａ）の図示左側の先端部にはバーコードリーダ５と電灯用電球２８が取付けられている。バーコードリーダ５は電灯用電球２８の照射軸とプラント機器の機器ＩＤの入力方向（読取り方向）を一致させて取付けられている。
【００１６】
このように、携帯端末本体３０に電灯用電球２８が一体に形成されている。表示装置４には保守端末１５から送信される保守点検サービス情報が表示される。また、機能ボタン２７を操作することによって、バーコードリーダ５で読取られた機器ＩＤのプラント機器に関する過去のトラブル履歴、保守履歴、異常状態などの保守点検サービス情報を保守端末１５と送受信できる。
【００１７】
次に動作を説明する。
点検員は携帯端末１０を持って現場点検を実施する。点検対象機器ごとに付加されているバーコードをバーコードリーダ５で読取り対象機器の認識番号（機器ＩＤ）から点検した機器を認識してデータ編集部８で記録される。
【００１８】
データ編集部８はその記録（機器点検情報）をエバネセント無線通信を行う無線通信部９、１２を経由して保守端末１５のデータ編集部１３に送信する。データ編集部１３は機器点検情報を管理し易い形態に編集して記憶部１３に格納する。
【００１９】
このように点検対象機器を点検した結果が中央操作室で編集記録されることにより現場点検の作業の合理化が図れる。また、状況により音声・画像なども同様に中央操作室の保守端末１５に送信することで点検結果のデータの充実も図れる。
【００２０】
現場点検時にプラント機器に異常兆項を見つけた場合には図３のようにして処理する。
【００２１】
携帯端末１０のバーコードリーダ５で読取ることで記録された対象機器情報と文字情報入力部２３あるいは音声入力部６で異常兆候を入力して中央操作室の保守端末１５に送信する。保守端末１５は異常情報として記憶部２１に記憶する。
【００２２】
また、携帯端末１０からの要求により保守端末１５の記憶部２１に保管されている当該機器の過去のトラブル履歴、トラブルに至る前の兆候、トラブル復旧方法、プラントの運転データが無線通信部９、１２を経由して携帯端末１０に送信される。これらの保守点検サービス情報は表示装置４に表示され、点検員の異常兆候に対する判断を助けることができる。
【００２３】
異常兆候がある機器については、その情報が携帯端末１０の記憶部２４に記録されており、現場点検の際に当該機器の機器ＩＤを読取ると記憶部２４の異常兆候の機器情報と照合され異常兆候ありであることを音声入出力部６によりアラームが発報され点検員に知らしめる。これにより複数の人間により点検させても異常機器の確認を漏らすことが無くなる。
【００２４】
データ編集部１３は、バーコードリーダ５で読取る現場機器情報の読取る間隔を監視しており、ある一定時間以上経過しても次の機器の読取りがなされない場合には点検員に異常が発生したことを通知し、点検者が一人でも安全面での管理が可能となる。
【００２５】
保守端末１５の記憶部２１にはプラント機器の点検履歴が記録されているため次回の点検ルートをその履歴からデータ編集部１３で検索し、その結果を無線通信部９。１２を経由して携帯端末１０の表示装置４に表示することで、現場点検ルート選定作業の負担軽減と現場機器の点検漏れ防止と点検間隔のばらつき防止が可能となる。
【００２６】
保守端末１５とサービスセンタのサービス端末１９は公衆回線端末２０、１６を経由して接続されている。サービスセンタでは、現場点検支援、保守計画支援、教育支援として保守端末１５に支援データ（保守点検サービス情報）を提供するサービスを実施する。
【００２７】
現場点検支援は図４に示すようにして行われる。サービスセンタのサービス端末１９の記憶部２５の現場点検対象機器の過去のトラブル履歴、現場から送られてくる音声、画像、現場点検員のコメント入力情報によりサービスセンタが、その情報により異常現象の傾向管理と処置方法の検討を行い、現場点検時の処置・監視方法を決定した保守点検サービス情報を公衆回線端末１６、２０、無線通信部９、１２を経由して、つまり、保守端末１５を介して携帯端末１０に送信する。
【００２８】
保守点検サービス情報は保守端末１５の表示器１４と携帯端末１０の表示器４に表示される。これにより中央操作室に専門家を配置しなくてもよく、サービスセンタから複数のプラントの保守支援が可能となり合理化が可能となる。
【００２９】
保守計画支援は図５に示すようにして行われる。サービスセンタのサービス端末１９の記憶部２５の現場点検対象機器の過去のトラブル履歴、現場から送られてくる音声、画像、現場点検員のコメント入力情報によりサービスセンタが現場機器の保守計画を立案し、公衆回線端末１６、２０を経由して保守端末１５の表示器１４にその計画情報を提供する。
【００３０】
サービス端末１９で作成した保守計画に対して保守端末１５を見た管理者が了解すれば、サービスセンタでは、保守部品の手配などの保守計画の実行が開始される。これにより保守計画がサービスセンタで一括管理されることにより中央操作室側には専門家を配置しなくてもよく合理化が可能となる。
【００３１】
図６に教育支援の処理を示す。サービスセンタのサービス端末１９の記憶部２５の現場点検対象機器の過去のトラブル履歴、現場から送られてくる音声、画像、現場点検員のコメント入力情報によりサービスセンタが、その情報により異常現象の傾向管理と処置方法の検討を行い、現場点検時の処置・監視方法を決定しサービス端末１９の記憶部２５に記録する。
【００３２】
一方、保守端末１５は現場点検対象機器の過去のトラブル履歴、現場から送られてくる音声、画像、現場点検員のコメント入力情報から異常現象の傾向管理と処置方法を検討し記憶部２１に記録する。記憶部２１の情報は公衆回線端末１６、２０を経由してサービス端末１９の表示装置１８に表示される。
【００３３】
サービスセンタでは記憶部２５に記録してある正しい処置方法とその保守端末１５からの処置情報を比較して、処置方法を添削して公衆回線端末１６、２０を経由して保守端末１５の表示装置１４に表示させる。これにより保守端末１５で処置方式についての教育を実施することが可能となる。
【００３４】
このようにしてプラントの保守点検を行うのであるが、携帯端末に携帯型電灯を一体に形成しているので、保守員の負担を軽減して作業効率を向上させることができ、かつ、暗所での危険性を低減できる。
【００３５】
また、上述の実施例は携帯端末に取付けた電灯の照射軸とプラント機器の機器ＩＤの入力方向（読取り方向）を一致させているので、電灯での照射時に確実に点検を１動作で同時に情報入力も行え作業効率を向上させることができる。
【００３６】
更に、上述の実施例は携帯端末と保守端末の無線通信をエバネセント通信技術で行っているので、短波帯近傍の高周波を用いることにより、建物の建物内部に所定の空中線電界強度を得られ、見通しの遮られた個々の部屋への通信が可能となる。また、建物固有のカットオフ周波数以下での運用によって、建物外部への空中線電界の漏洩がないため、建物ごとに独立した通信環境を確立することが可能となる。
【００３７】
また、エバネセント通信技術を採用することにより、携帯端末に搭載した子局と、上位コンピュータのネットワークに接続された親局との間に、見通しを遮る障害物があっても安定した局間の接続状態を確立できる通信システムを構築することが可能となる。すなわち、エバネセント通信技術を用いた通信システムによって、プラント現場点検作業分野での保守員の情報共有手段のための通信機能を実現することにより、大規模で複雑な構造をもつ建物内に敷設されたプラント設備内を一括して移動点検しながら情報共有できる通信システムを構築することが可能となる。その結果として、親局を設置するためにプラント設備の配置に特段の変更を加えることなく、最適な親局の設置位置を決定することができる。
【００３８】
また、火力発電所などのの現場点検の支援、保守計画立案支援などを外部のサービスセンタで一括対応することにより、火力発電所の省人化ができるとともに、点検者が携帯する携帯端末で過去のトラブル履歴や処置方式などのナレッジを参照できることにより点検者のアウトソーシングも可能となり大幅な合理化が可能となる効果がある。
【００３９】
【発明の効果】
本発明は携帯端末に携帯型電灯を一体に形成しているので、保守員の負担を軽減して作業効率を向上させることができ、かつ、暗所での危険性を低減できる。
【図面の簡単な説明】
【図１】本発明の一実施例を示す構成図である。
【図２】本発明による携帯端末の一例を示す構成図である。
【図３】本発明を説明するための機能図である。
【図４】本発明を説明するための機能図である。
【図５】本発明を説明するための機能図である。
【図６】本発明を説明するための機能図である。
【符号の説明】
１…発信器、２…熱電対、３…プラント機器、４…表示装置、５…バーコードリーダ、６…音声入出力部、７…画像入出力部、８…データ編集部、９…無線通信部、１０…携帯端末、１１…無線通信、１２…無線通信部、１３…データ編集部、１４…表示装置（ＣＲＴ）、１５…保守端末、１６…公衆回線端末、１７…データ編集部、１８…表示装置（ＣＲＴ）、１９…サービス端末、２０…公衆回線端末、２１…記録部、２２…プラントネットワーク、２３…文字情報入力部、２４、２５…記憶部。
【図１】
2004133671.tif 000003
【図２】
2004133671.tif 000004
【図３】
2004133671.tif 000005
【図４】
2004133671.tif 000006
【図５】
2004133671.tif 000007
【図６】
2004133671.tif 000008